(57)【要約】  【課題】  移動体等の機器を所有するユーザの存在を認識する。  【解決手段】  ３Ｇ−３２４Ｍプロトコルを使用する携帯電話端末１０と、プロトコル変換モジュール５１を介して、Ｈ．３２３プロトコルを使用して通信を行う車載ＴＶ電話装置２０であって、車載ＴＶ電話装置２０の位置情報を取得するＧＰＳ受信部２９及び位置情報生成部２８と、車載ＴＶ電話装置２０の位置と携帯電話端末１０の位置とを含む地図情報を取得する地図情報取得部２２と、携帯電話端末１０の位置情報を取得する携帯端末位置情報取得部２３と、取得した地図情報に、車載ＴＶ電話装置２０の位置情報と携帯電話端末１０の位置情報とを重畳した地図情報を生成する画像重畳部２７とを備える。【選択図】  図２
2006093954.tif 000002
【特許請求の範囲】
【請求項１】
第１のプロトコルを使用する通信端末と、プロトコル変換装置を介して、第２のプロトコルを使用して通信を行う通信機器であって、
位置情報を取得する手段と、
前記通信端末との通信により前記通信端末の位置情報を取得する手段と、
前記通信機器の位置及び前記通信端末の位置を含む地図情報を取得する手段と、
取得した地図情報に、前記通信機器の位置情報と前記通信端末の位置情報とを重畳した地図情報を生成する手段と、
を備える通信機器。
【請求項２】
生成した地図情報を表示する手段を備える請求項１記載の通信機器。
【請求項３】
生成した地図情報を送信する手段を備える請求項１又は２記載の通信機器。
【請求項４】
生成した地図情報を、前記通信機器の位置と前記通信端末の位置との距離に応じて、１の画面に表示又は複数の画面に分割して表示させる手段を備える請求項１ないし３のいずれか一項記載の通信機器。
【請求項５】
生成した地図情報に情報を重畳する手段を備える請求項１ないし４のいずれか一項記載の通信機器。
【請求項６】
プロトコル変換装置を介して通信端末との間で通信を行う通信機器であって、
地図に関するデータ、自機の位置に関するデータおよび通信によって得られた通信端末の位置に関するデータを用いて通信端末の位置および自機の位置を地図上で示す画像を表示画面に表示させる手段を備える通信機器。
【発明の詳細な説明】
【技術分野】
【０００１】
本発明は、位置情報表示技術に係り、特に複数のユーザ間で位置情報の共有が可能な通信機器に関する。
【背景技術】
【０００２】
複数のユーザの存在を認識するための技術として、複数のユーザがそれぞれ視覚的に区別可能なポインタを持ち、それらを１つの画面上に同時に表示させる技術が知られている（例えば、特許文献１参照）。
【特許文献１】特開平３−１１９４７８号公報
【発明の開示】
【発明が解決しようとする課題】
【０００３】
しかしながら、従来の技術では、設定したポインタは位置情報を含まないため、移動するユーザの存在を認識することはできない。近年、カーナビゲーションシステム、携帯電話等の移動体機器が普及しており、これらの移動体機器を所有するユーザの間で互いの存在を共有したいという要望がある。
【０００４】
本発明は、上記従来の事情に鑑みてなされたものであって、移動体等の機器を所有する他のユーザの存在を認識することができる通信機器を提供することを目的とする。
【課題を解決するための手段】
【０００５】
本発明の通信機器は、第１のプロトコルを使用する通信端末と、プロトコル変換装置を介して、第２のプロトコルを使用して通信を行う通信機器であって、位置情報を取得する手段と、前記通信端末との通信により前記通信端末の位置情報を取得する手段と、前記通信機器の位置及び前記通信端末の位置を含む地図情報を取得する手段と、取得した地図情報に、前記通信機器の位置情報と前記通信端末の位置情報とを重畳した地図情報を生成する手段と、を備える。
【０００６】
上記構成によれば、取得した地図情報に、前記通信機器の位置情報と前記通信端末の位置情報とを重畳した地図情報を生成する手段を備えることにより、通信端末及び通信機器の位置情報を反映させた地図情報を生成することができる為、生成した地図に基づいて、移動体等の機器を所有するユーザの存在を認識することができる。
【０００７】
また、本発明の通信機器は、生成した地図情報を表示する手段を備える。上記構成によれば、生成した地図情報を表示することにより、通信端末及び通信機器の位置情報を反映させた地図を通信機器で確認することができる。
【０００８】
また、本発明の通信機器は、生成した地図情報を送信する手段を備える。上記構成によれば、生成した地図情報を送信することにより、通信端末と通信機器とで、互いの位置情報を共有できる。
【０００９】
また、本発明の通信機器は、生成した地図情報を、前記通信機器の位置と前記通信端末の位置との距離に応じて、１の画面に表示又は複数の画面に分割して表示させる手段を備える。上記構成によれば、生成した地図情報を、前記通信機器の位置と前記通信端末の位置との距離に応じて、１の画面に表示又は複数の画面に分割して表示させることにより、生成した地図情報に基づいて、通信機器と通信端末の位置関係を容易に把握することができる。
【００１０】
また、本発明の通信機器は、生成した地図情報に情報を重畳する手段を備える。上記構成によれば、生成した地図情報に情報を重畳することにより、情報を重畳した地図情報に基づいて、待ち合わせ場所等に関する任意の情報を把握することができる。
【００１１】
さらに、本発明の通信機器は、プロトコル変換装置を介して通信端末との間で通信を行う通信機器であって、地図に関するデータ、自機の位置に関するデータおよび通信によって得られた通信端末の位置に関するデータを用いて通信端末の位置および自機の位置を地図上で示す画像を表示画面に表示させる手段を備える。上記構成によれば、プロトコル変換装置を介して通信を行う通信端末の位置および自機の位置を地図上で示す画像を表示画面に表示させることにより、プロトコルが異なる通信端末および自機の位置を地図上で認識することができる。
【発明の効果】
【００１２】
本発明によれば、取得した地図情報に、前記通信機器の位置情報と前記通信端末の位置情報とを重畳した地図情報を生成する手段を備えることにより、通信端末及び通信機器の位置情報を反映させた地図情報を生成することができる為、生成した地図に基づいて、移動体等の機器を所有する他のユーザの存在を認識することができる。
【発明を実施するための最良の形態】
【００１３】
図１は、本発明の実施形態を説明するための車載ＴＶ電話システムの概略構成を示す図である。同図に示すように、本実施形態の車載ＴＶ電話システムは、３Ｇ−３２４Ｍプロトコルに従って回線交換が行なわれる回線交換網６１及び６２にＧＰＳ（Global Positioning System）信号に基づく現在位置情報を送信可能な携帯電話端末１０と、Ｈ．３２３プロトコルに従ってパケット交換が行なわれるパケット交換網６３にカーナビゲーション・システムから取得した地図情報を送信可能な車載ＴＶ電話装置２０と、３Ｇ−３２４ＭプロトコルとＨ．３２３プロトコルを相互に変換可能なプロトコル変換モジュールを含む変換サーバ５０とを備える。なお、回線交換網としてＩＳＤＮ（Integrated Services Digital Network）網等、パケット交換網としてＩＰ（Internet Protocol）網等を使用する。
【００１４】
３Ｇ−３２４Ｍプロトコルは、業界団体である３ＧＰＰ（Third Generation Partnership Project）により、第三世代移動通信システムにおけるビデオフォン上での音声・映像のデータ交換のために策定された通信制御プロトコルである。また、Ｈ．３２３プロトコルは、ＩＴＵ−Ｔ（国際電気通信連合電気通信標準化部門）により規格化されたネットワーク上で音声・動画を送受信するために、音声・映像・データ圧縮伸長方式等を定めた通信制御プロトコルである。
【００１５】
車載ＴＶ電話装置２０は、３Ｇ−３２４Ｍプロトコルを使用する携帯電話端末１０と、変換サーバ５０を介して、Ｈ．３２３プロトコルを使用して通信を行う。変換サーバ５０は、パケット交換網６３と回線交換網６１，６２の違いを吸収し、プロトコルの変換を行う。
【００１６】
図２は、本発明の実施形態の車載ＴＶ電話システムにおける携帯電話端末１０および車載ＴＶ電話装置２０の概略構成を示す図である。同図に示すように、携帯電話端末１０は、図示しないＧＰＳ衛星から現在位置を表すＧＰＳ信号を受信するＧＰＳ受信部１１と、受信したＧＰＳ信号を、緯度経度を示す位置情報へ変換することにより位置情報を生成する位置情報生成部１２と、３Ｇ−３２４Ｍプロトコルによる送信および受信を行なうインターフェースである３Ｇ−３２４Ｍ−Ｉ／Ｆ部１５と、受信した符号化画像データである地図情報を復号化する画像復号化部１３と、復号化した地図情報を表示するモニタ１６と、送信する音声データを符号化するとともに、受信した符号化された音声データを復号化する音声符号化／復号化部１４と、音声の入力および再生をそれぞれ行なうマイク１７およびスピーカ１８とを備える。
【００１７】
車載ＴＶ電話装置２０は、ナビゲーション・システム４０より、車載ＴＶ電話装置２０の位置および携帯電話端末１０の位置を含む地図情報を取得する地図情報取得部２２と、Ｈ．３２３プロトコルによる送信および受信を行なうインターフェースであるＨ．３２３−Ｉ／Ｆ部２１と、携帯電話端末１０より送られてきた携帯電話端末１０の位置情報をＨ．３２３−Ｉ／Ｆ部２１を介して取得する携帯端末位置情報取得部２３と、送信する画像データである地図情報を符号化するとともに、受信した符号化された画像データを復号化する画像符号化部／復号化部２４と、復号化した地図情報を表示するモニタ３２と、地図上で指示された場所を入力するポインタ入力部２６と、図示しないＧＰＳ衛星から現在位置を表すＧＰＳ信号を受信するＧＰＳ受信部２９と、受信したＧＰＳ信号を、緯度経度を示す位置情報へ変換する位置情報生成部２８と、ナビゲーション・システム４０より取得した地図情報に、携帯電話端末１０および車載ＴＶ電話装置２０の位置情報と地図上で指示する場所の情報とを重畳した新たな地図情報を生成する画像重畳部２７と、送信する音声データを符号化するとともに、受信した符号化された音声データを復号化する音声符号化／復号化部２５と、音声の入力および再生をそれぞれ行なうマイク３１およびスピーカ３０とを備える。なお、ＧＰＳ受信部２９および位置情報生成部２８は、車載ＴＶ電話装置２０の位置情報を取得する。
【００１８】
また、プロトロル変換モジュール５１は、携帯電話端末１０の３Ｇ−３２４Ｍ−Ｉ／Ｆ部１５と車載ＴＶ電話装置２０のＨ．３２３−Ｉ／Ｆ部２１の間に接続され、３Ｇ−３２４ＭプロトコルとＨ．３２３プロトコルとの間でプロトコルの変換を行なう。
【００１９】
図３は、本発明の実施形態の車載ＴＶ電話システムにおけるプロトコル変換モジュール５１の概略構成を示す図である。プロトコル変換モジュール５１は、３Ｇ−３２４Ｍ−Ｉ／Ｆ部５２と、Ｈ．３２３−Ｉ／Ｆ部５３と、プロトコル変換部５４とを含んで構成される。
【００２０】
３Ｇ−３２４Ｍ−Ｉ／Ｆ部５２は、回線交換網６１および６２を介して接続される携帯電話端末１０とのインターフェースであり、携帯電話端末１０から３Ｇ−３２４Ｍプロトコルに基づく手順で発呼および着呼の制御を受ける。３Ｇ−３２４Ｍ−Ｉ／Ｆ部５２は、携帯電話端末１０から３Ｇ−３２４Ｍプロトコルに基づくデータを受け取り、これをプロトコル変換部５４のプログラムを介してＨ．３２３プロトコルに基づくデータに変換し、Ｈ．３２３−Ｉ／Ｆ部５３へ送出する。
【００２１】
また、３Ｇ−３２４Ｍ−Ｉ／Ｆ部５２は、Ｈ．３２３−Ｉ／Ｆ部５３からＨ．３２３プロトコルに基づく宛て先情報を受け取る。この場合、３Ｇ−３２４Ｍ−Ｉ／Ｆ部５２は、携帯電話端末１０とのデータ授受によりまず着呼先端末との間の通信路を形成したのち、Ｈ．３２３プロトコルから変換された３Ｇ−３２４Ｍプロトコルに基づくデータを携帯電話端末１０へ送出する。
【００２２】
一方、Ｈ．３２３−Ｉ／Ｆ部５３は、ＩＰ網６３に接続される車載ＴＶ電話装置２０とのインターフェースであり、車載ＴＶ電話装置２０からＨ．３２３プロトコルに基づく宛て先アドレス情報を受け取り、これをプロトコル変換部５４のプログラムを介して３Ｇ−３２４Ｍプロトコルに基づくアドレスに変換し、３Ｇ−３２４Ｍ−Ｉ／Ｆ部５２を介して携帯電話端末１０へ送る。
【００２３】
プロトコル変換部５４は、３Ｇ−３２４ＭプロトコルとＨ．３２３プロトコルとの相互変換プログラムを有する。すなわち、プロトコル変換部５４は、３Ｇ−３２４Ｍ−Ｉ／Ｆ部５２から受けた３Ｇ−３２４Ｍプロトコルに基づくデータを、Ｈ．３２３プロトコルに基づくデータに変換するとともに、Ｈ．３２３−Ｉ／Ｆ部５３から受けたＨ．３２３プロトコルに基づくデータを、３Ｇ−３２４Ｍプロトコルに基づくデータに変換する。
【００２４】
図４は、本実施形態の車載ＴＶ電話システムにおける通信処理のフローチャートを示す図である。まず、携帯電話端末１０と車載ＴＶ電話装置２０の間でマルチメディア通信を行なうのに先立って、通信実行処理（Ｓ１０）および通信中止処理（Ｓ２０）が行なわれる。すなわち、通信実行処理（Ｓ１０）として、回線接続要求（Ｓ１１）、回線接続応答（Ｓ１２）、通信開始要求（Ｓ１３）および通信開始応答（Ｓ１４）が行なわれる。また、通信終了処理（Ｓ２０）として、通信中止要求（Ｓ２１）、通信中止応答（Ｓ２２）、通信開放要求（Ｓ２３）および通信開放応答（Ｓ２４）が行なわれる。
【００２５】
次に、マルチメディア通信（Ｓ３０）が行われる。マルチメディア通信（Ｓ３０）においては、一定時間間隔で携帯電話端末１０が車載ＴＶ電話装置２０へ携帯電話端末１０の位置情報を送信する。一方、車載ＴＶ電話装置２０は、同間隔で車載ＴＶ電話装置２０の位置情報を生成し、ナビゲーション・システム４０より取得した地図情報に、取得した携帯電話端末１０の位置情報と車載ＴＶ電話装置２０の位置情報とを重畳した地図情報を生成する。また、地図情報を生成したタイミングで車載ＴＶ電話装置２０から携帯電話端末１０へ流されている地図情報が更新される。ポインタ入力部２６からポインタが入力された場合も同様に地図情報を更新する。
【００２６】
このように本実施形態の車載ＴＶ電話システムによれば、ナビゲーション・システム４０から取得した地図情報に、車載ＴＶ電話装置２０の位置情報と携帯電話端末１０の位置情報とを重畳して生成した地図情報を、一定時間間隔で更新して動画表示させることにより、プロトコルが異なる携帯電話端末１０と車載ＴＶ電話装置２０の間で、携帯電話端末１０および車載ＴＶ電話装置２０の位置関係を地図に基づいて把握することが容易となる。
【００２７】
マルチメディア通信（Ｓ３０）が終了すると通信終了処理（Ｓ４０）が行なわれる。すなわち、通信終了処理（Ｓ４０）として、通信終了要求（Ｓ４１）、通信終了応答（Ｓ４２）、通信開放要求（Ｓ４３）および通信開放応答（Ｓ４４）が行なわれる。
【００２８】
図５は、本実施形態の車載ＴＶ電話システムにおいてモニタ１６，３２に表示される地図情報の例を示す。図６は、本実施形態の車載ＴＶ電話システムにおいて表示を行う場合の動作フローチャートを示す。
【００２９】
通常は、図５（ａ）に示すように、モニタ１６，３２には、地図上に車載ＴＶ電話装置２０の現在位置を示す車両位置７１と、携帯電話端末１０の現在位置を示す端末位置７２と、車載ＴＶ電話装置２０のポインタ入力部２６から入力された待ち合わせ場所等を示す指定位置７３とが表示される。しかし、車両位置７１と端末位置７２間の距離が遠い場合、あるいは地図の縮尺を変更し、車両位置７１と端末位置７２とを同じ画面に表示できない場合は、図６のフローチャートに従って、車両位置７１を示す画面と、端末位置７２を示す画面の２画面表示が行なわれる。
【００３０】
すなわち、車両位置７１を示す位置情報と端末位置７２を示す位置情報とに基づいて、車載ＴＶ電話装置２０は、車両位置７１と端末位置７２とを同じ画面に表示可能かどうか判断し（ステップＳ５１）、同じ画面に表示可能な場合（Ｙｅｓ）は、車両位置７１と端末位置７２とを１画面で表示する（ステップＳ５３）。
【００３１】
一方、同じ画面に表示できない場合（Ｎｏ）、車載ＴＶ電話装置２０は、図５（ｂ）に示すように、車両位置７１を示す画面と、端末位置７２を示す画面の２画面に分割して表示を行う（ステップＳ５２）。次に、車載ＴＶ電話装置２０は、車両位置７１を示す位置情報と端末位置７２を示す位置情報とに基づいて、それぞれの位置から相手の位置の方向を算出する（ステップＳ５４）。
【００３２】
そして、車載ＴＶ電話装置２０は、図５（ｂ）に示すように、車両位置７１を示す画面と端末位置７２を示す画面とに、それぞれの位置から見た相手の位置の方向を示す矢印７４，７５を表示する（ステップＳ５５）。この矢印は、図５（ｃ）に示すように、２画面のそれぞれの隅に互いに反対方向となるように表示される（例えば、矢印７４，７５の組み合わせ）。
【００３３】
以上説明したように、本実施形態の車載ＴＶ電話システムによれば、生成した地図情報を、車載ＴＶ電話装置２０の位置と携帯電話端末１０の位置との距離に応じて、１の画面に表示又は複数の画面に分割して表示させることにより、生成した地図情報に基づいて、車載ＴＶ電話装置２０と携帯電話端末１０の位置関係を容易に把握することができる。さらに、携帯電話端末１０と車載ＴＶ電話装置２０の位置情報を重畳して生成した地図情報を２画面に分割して表示する場合は、互いの現在位置を示す方向を矢印等で表示することにより、両者の位置関係を把握することが一層容易となる。
【産業上の利用可能性】
【００３４】
本発明は、取得した地図情報に、前記通信機器の位置情報と前記通信端末の位置情報とを重畳した地図情報を生成する手段を備えることにより、通信端末及び通信機器の位置情報を反映させた地図情報を生成することができる為、生成した地図に基づいて、移動体等の機器を所有する他のユーザの存在を認識することができる効果を有し、第１のプロトコルを使用する通信端末と、プロトコル変換装置を介して、第２のプロトコルを使用して通信を行う通信機器等に有用である。
【図面の簡単な説明】
【００３５】
【図１】本発明の実施形態を説明するための車載ＴＶ電話システムの概略構成を示す図
【図２】本発明の実施形態を説明するための車載ＴＶ電話システムの概略構成を示すブロック図
【図３】本発明の実施形態の車載ＴＶ電話システムにおけるプロトコル変換モジュールの概略構成を示すブロック図
【図４】本発明の実施形態における車載ＴＶ電話システムの動作を説明するためにフローチャート
【図５】本発明の実施形態における車載ＴＶ電話システムのモニタの表示例
【図６】本発明の実施形態における車載ＴＶ電話システムで表示を行なう場合のフローチャート
【符号の説明】
【００３６】
１０  携帯電話端末
１１，２９  ＧＰＳ受信部
１２，２８  位置情報生成部
１３  画像復号化部
１４，２５  音声符号化／復号化部
１５，５２  ３Ｇ−３２４Ｍ Ｉ／Ｆ部
１６，３２  モニタ
１７，３１  マイク
１８，３０  スピーカ
２０  車載ＴＶ電話装置
２１，５３  Ｈ．３２３ Ｉ／Ｆ部
２２  地図情報取得部
２３  携帯端末位置情報取得部
２４  画像符号化／復号化部
２６  ポインタ入力部
２７  画像重畳部
４０  ナビゲーション・システム
５０  変換サーバ
５１  プロトコル変換モジュール
５４  プロトコル変換部
６１  回線交換網
６２  回線交換網
６３  ＩＰ網
７１  車両位置
７２  端末位置
７３  指定位置
７４，７５  矢印
【図１】
2006093954.tif 000003
【図２】
2006093954.tif 000004
【図３】
2006093954.tif 000005
【図４】
2006093954.tif 000006
【図５】
2006093954.tif 000007
【図６】
2006093954.tif 000008